(57)【要約】  ページ数の多い電子文書の閲覧に好適な操作インタフェースを備えた文書閲覧装置、電子文書のページめくり方法及びプログラムを提供する。文書閲覧装置は、複数枚のページを綴じた態様の電子文書のユーザによって選択されたページの内容を表示する領域と、前記ページの内容を表示する領域に隣接して設けられ、前記複数枚のページの厚みを表す領域と、を表示する表示手段と、前記各領域の任意の点を指示することによる前記電子文書への操作内容を検出する操作検出手段と、前記ページの内容を表示する領域の任意の位置と、前記複数枚のページの厚みを表す領域の任意の位置との２点を連続して指示する操作が行われた場合に、前記複数枚のページの厚みを表す領域の指示位置に対応するページまでページをめくる処理を行う表示制御手段と、を備える。
2014119716.tif 000002
【特許請求の範囲】
【請求項１】
複数枚のページを綴じた態様の電子文書のユーザによって選択されたページの内容を表示する領域と、
前記ページの内容を表示する領域に隣接して設けられ、前記複数枚のページの厚みを表す領域と、を表示する表示手段と、
前記各領域の任意の点を指示することによる前記電子文書への操作内容を検出する操作検出手段と、
前記ページの内容を表示する領域の任意の位置と、前記複数枚のページの厚みを表す領域の任意の位置との２点を連続して指示する操作が行われた場合に、前記複数枚のページの厚みを表す領域の指示位置に対応するページまでページをめくる処理を行う表示制御手段と、を備えたこと、
を特徴とする文書閲覧装置。
【請求項２】
前記表示制御手段は、ページをめくる毎に、前記複数枚のページの厚みを表す領域の幅を変化させる請求項１の文書閲覧装置。
【請求項３】
前記表示制御手段は、前記ページの内容を表示する領域の任意の位置を指示した後、前記複数枚のページの厚みを表す領域の任意の位置の指示操作が行われた場合、現在表示中のページから前記複数枚のページの厚みを表す領域における指示位置に対応するページに至るまで、複数枚のページを順番にめくる処理を行う請求項１又は２の文書閲覧装置。
【請求項４】
前記表示制御手段は、前記複数枚のページの厚みを表す領域の任意の位置を指示した後、前記ページの内容を表示する領域の指示操作が行われた場合、前記複数枚のページの厚みを表す領域における指示位置に対応するページまで、複数枚のページを一括してめくる処理を行う請求項１から３いずれか一の文書閲覧装置。
【請求項５】
前記操作検出手段は、タッチセンサにより構成され、
前記複数枚のページを綴じた態様の文書データが表示された画面におけるスライド操作の始点と終点とにより、前記ユーザから指示された２点を検出する請求項１から４いずれか一の文書閲覧装置。
【請求項６】
さらに、前記表示手段により表示された電子文書を傾ける操作を検出するセンサを備え、
前記表示制御手段は、
前記ページの内容を表示する領域の任意の位置と、前記複数枚のページの厚みを表す領域の任意の位置との２点を連続して指示する操作が行われた場合に、前記複数枚のページの厚みを表す領域の指示位置に対応するページまでページをめくる処理に代えて、
前記複数枚のページの厚みを表す領域の任意の位置を指示する操作と、前記複数枚のページの厚みを表す領域が前記ページの内容を表示する領域よりも上側に位置するように、電子文書を傾ける操作が行われた場合に、前記複数枚のページの厚みを表す領域における指示位置に対応するページまで、複数枚のページを一括してめくる処理を行う請求項１から５いずれか一の文書閲覧装置。
【請求項７】
前記複数枚のページの厚みを表す領域には、所定ページ数毎の色分けまたはマーキングが施されている請求項１から６いずれか一の文書閲覧装置。
【請求項８】
複数枚のページを綴じた態様の電子文書のユーザによって選択されたページの内容を表示する領域と、前記ページの内容を表示する領域に隣接して設けられ、前記複数枚のページの厚みを表す領域と、を表示する表示手段と、を備える文書閲覧装置において、
前記各領域の任意の点を指示することによる前記電子文書への操作内容を検出するステップと、
前記ページの内容を表示する領域の任意の位置と、前記複数枚のページの厚みを表す領域の任意の位置との２点を連続して指示する操作が行われた場合に、前記複数枚のページの厚みを表す領域の指示位置に対応するページまでページをめくる処理を行うステップと、を含む電子文書のページめくり方法。
【請求項９】
複数枚のページを綴じた態様の電子文書のユーザによって選択されたページの内容を表示する領域と、前記ページの内容を表示する領域に隣接して設けられ、前記複数枚のページの厚みを表す領域と、を表示する表示手段と、を備える文書閲覧装置に搭載されたコンピュータに、
前記各領域の任意の点を指示することによる前記電子文書への操作内容を検出する処理と、
前記ページの内容を表示する領域の任意の位置と、前記複数枚のページの厚みを表す領域の任意の位置との２点を連続して指示する操作が行われた場合に、前記複数枚のページの厚みを表す領域の指示位置に対応するページまでページをめくる処理と、を実行させるプログラム。
【発明の詳細な説明】
【技術分野】
【０００１】
［関連出願についての記載］
本発明は、日本国特許出願：特願２０１３−０１６８４９号（２０１３年  １月３１日出願）に基づくものであり、同出願の全記載内容は引用をもって本書に組み込み記載されているものとする。
本発明は、文書閲覧装置、電子文書のページめくり方法及びプログラムに関し、特に、複数枚のページを綴じた態様の電子文書の文書閲覧装置、電子文書のページめくり方法及びプログラムに関する。
【背景技術】
【０００２】
近年、スマートフォンやタブレット型端末等のタッチパネルを備えたものが広く普及している。また、これらの機器向けに、書籍、操作マニュアル等の電子化した電子文書も提供されており、これらの機器では、紙でできた本と同様の感覚で、ページめくり操作等が行えるようになっている。【０００３】
加えて、上記した電子文書の閲覧時の操作性を高めるために種々の提案がなされている。特許文献１には、複数点を同時検知するタッチパネルを搭載し、種々の操作を行うことができるようにした携帯端末が開示されている。例えば、その一つのページが表示されている画面においてユーザがＮ本の指でフリック操作（画面に指を接触させた状態を維持しつつ一つの方向に滑らせる操作；スライド操作ともいう。）を行うと、Ｎページ分のページ送りが行われることが記載されている（請求項２、段落００３７、図５）。【０００４】
また、特許文献２には、ユーザが、「本の厚み」を模した画像（以下「本の厚み」という）を所定時間以上タッチし続けると、パラパラと連続してページをめくることができるという携帯情報機器が開示されている（段落００８２）。またこの携帯情報機器では、ユーザーがタッチする強さを変えることで、ページめくりの速度を変更することができることができると記載されている。
【先行技術文献】
【特許文献】
【０００５】
【特許文献１】特開２０１１−１７０６０３号公報
【特許文献２】特開２０００−１６３４４４号公報
【発明の概要】
【発明が解決しようとする課題】
【０００６】
以下の分析は、本発明によって与えられたものである。上記した特許文献１に記載の携帯端末において、ページ数の多い電子文書の特定のページを閲覧しようとする場合、何度もフリック操作を行わなければ目的のページにたどり着けないという問題点がある。【０００７】
特許文献２の方法によれば、本の厚みの部分を強くタッチすることで、高速にページをめくることが可能となっているが、電子文書のページ数が多い場合、目的とするページが表示されるまで待たされてしまうという問題点がある。【０００８】
上記した問題は、スマートフォンやタブレット型端末などの小型端末に限られず、例えば、パーソナルコンピュータにおいて、ページ数の多い電子文書を閲覧する場合にも起こりうる。【０００９】
本発明は、複数枚のページ、とりわけページ数の多い電子文書の閲覧に好適な操作インタフェースを備えた文書閲覧装置、電子文書のページめくり方法及びプログラムを提供することを目的とする。
【課題を解決するための手段】
【００１０】
第１の視点によれば、複数枚のページを綴じた態様の電子文書のユーザによって選択されたページの内容を表示する領域と、前記ページの内容を表示する領域に隣接して設けられ、前記複数枚のページの厚みを表す領域と、を表示する表示手段と、前記各領域の任意の点を指示することによる前記電子文書への操作内容を検出する操作検出手段と、前記ページの内容を表示する領域の任意の位置と、前記複数枚のページの厚みを表す領域の任意の位置との２点を連続して指示する操作が行われた場合に、前記複数枚のページの厚みを表す領域の指示位置に対応するページまでページをめくる処理を行う表示制御手段と、を備えた文書閲覧装置が提供される。【００１１】
第２の視点によれば、複数枚のページを綴じた態様の電子文書のユーザによって選択されたページの内容を表示する領域と、前記ページの内容を表示する領域に隣接して設けられ、前記複数枚のページの厚みを表す領域と、を表示する表示手段と、を備える文書閲覧装置において、少なくとも２点を指示することによる前記電子文書への操作内容を検出するステップと、前記ページの内容を表示する領域の任意の位置と、前記複数枚のページの厚みを表す領域の任意の位置との２点を指示する操作が行われた場合に、前記複数枚のページの厚みを表す領域の指示位置に対応するページまでページをめくる処理を行うステップと、を含む電子文書のページめくり方法が提供される。本方法は、複数枚のページを綴じた態様の電子文書を表示する文書閲覧装置という、特定の機械に結びつけられている。【００１２】
第３の視点によれば、複数枚のページを綴じた態様の電子文書のユーザによって選択されたページの内容を表示する領域と、前記ページの内容を表示する領域に隣接して設けられ、前記複数枚のページの厚みを表す領域と、を表示する表示手段と、を備える文書閲覧装置に搭載されたコンピュータに、少なくとも２点を指示することによる前記各領域への操作を検出する処理と、前記ページの内容を表示する領域の任意の位置と、前記複数枚のページの厚みを表す領域の任意の位置との２点を指示する操作が行われた場合に、前記複数枚のページの厚みを表す領域の指示位置に対応するページまでページをめくる処理と、を実行させるプログラムが提供される。なお、このプログラムは、コンピュータが読み取り可能な（非トランジエントな）記憶媒体に記録することができる。即ち、本発明は、コンピュータプログラム製品として具現することも可能である。
【発明の効果】
【００１３】
本発明によれば、ページ数の多い電子文書の閲覧に好適な操作インタフェースが提供される。
【図面の簡単な説明】
【００１４】
【図１】本発明の第１の実施形態の文書閲覧装置の外観構成を示す図である。
【図２】本発明の第１の実施形態の文書閲覧装置の機能ブロックを表した図である。
【図３】本発明の第１の実施形態の文書閲覧装置による表示画面の一例を示す図である。
【図４】本発明の第１の実施形態の文書閲覧装置の第１のページめくり動作の流れを表したフローチャートである。
【図５】図４のフローチャートに対応する操作の流れを示す図である。
【図６】本発明の第１の実施形態の文書閲覧装置の第２のページめくり動作の流れを表したフローチャートである。
【図７】図６のフローチャートに対応する操作の流れを示す図である。
【図８】本発明の第２の実施形態の文書閲覧装置の機能ブロックを表した図である。
【図９】本発明の第２の実施形態の文書閲覧装置のページめくり動作の流れを表したフローチャートである。
【図１０】図８のフローチャートに対応する操作の流れを示す図である。
【図１１】本発明に係る文書閲覧装置による表示画面の別の一例を示す図である。
【図１２】本発明に係る文書閲覧装置による表示画面の別の一例を示す図である。
【発明を実施するための形態】
【００１５】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。
【００１６】
本発明は、その一実施形態において、図１、図２に示すように、複数枚のページを綴じた態様の電子文書のユーザによって選択されたページの内容を表示する領域（図２の１２３）と、前記ページの内容を表示する領域に隣接して設けられ、前記複数枚のページの厚みを表す領域（図２の１２１、１２２）と、を表示する表示手段（図２の１２）と、少なくとも２点を指示することによる前記電子文書への操作内容を検出する操作検出手段（図２の１３）と、前記ページの内容を表示する領域の任意の位置と、前記複数枚のページの厚みを表す領域の任意の位置との２点を指示する操作が行われた場合に、前記複数枚のページの厚みを表す領域の指示位置に対応するページまでページをめくる処理を行う表示制御手段（図２の１４）と、を備える構成にて実現できる。
【００１７】
上記文書閲覧装置は、例えば、前記複数枚のページの厚みを表す領域（図２の１２１）の任意の位置を指示した後に、ページの内容を表示する領域（図２の１２３）の任意の位置を指示する操作が行われると、図５に示すように、途中のページを飛ばして、前記複数枚のページの厚みを表す領域の指示位置に対応するページを表示する処理を行う。
【００１８】
以上のように、現実の書籍のページをめくる動作に近い操作インタフェースが提供される。
【００１９】
［第１の実施形態］
続いて、本発明を、タッチパネルを備えたタブレット型の端末に適用した第１の実施形態について図面を参照して詳細に説明する。図１は、本発明の第１の実施形態の文書閲覧装置の外観構成を示す図である。図１を参照すると、薄型の筺体１１の前面に、表示手段１２及び操作検出手段１３として機能するタッチパネル付き表示装置を配置した文書閲覧装置１が示されている。
【００２０】
図２は、図１の文書閲覧装置１の機能ブロックを表した図である。図２を参照すると、表示手段１２と、操作検出手段１３と、表示制御手段１４と、を備えた構成が示されている。
【００２１】
表示手段１２は、図１に示したように、液晶表示装置や有機エレクトロルミネッセンス表示装置（有機ＥＬ表示装置）等によって構成される。
【００２２】
操作検出手段１３は、表示手段１２を構成する液晶表示装置や有機ＥＬ表示装置と重なるように配置されたタッチセンサやデジタイザによって構成される。表示手段１２にて電子文書を表示中に、操作検出手段１３にて検出された電子文書への操作内容は、表示制御手段１４に入力される。
【００２３】
表示制御手段１４は、ユーザから要求を受けると、複数枚のページを綴じた態様の電子文書を読み出して、表示手段１２に表示させる。なお、ここで表示する電子文書は、文書閲覧装置１の本体の記憶装置に格納された電子文書であってもよいし、文書閲覧装置１に備えられた各種通信手段により、ネットワーク上のサーバ等から受信した電子文書であってもよい。
【００２４】
なお、図２に示した文書閲覧装置１の表示制御手段１４は、文書閲覧装置１に搭載されたコンピュータに、そのハードウェアを用いて、後に詳述する表示制御手段１４の処理を実行させるコンピュータプログラムにより実現することもできる。
【００２５】
図３は、本実施形態の文書閲覧装置による表示画面の一例を示す図である。図３を参照すると、電子文書は、ユーザによって選択されたページの内容を表示する領域１２３と、その両側にページの厚みを表す領域１２１、１２２とが設けられている。ページの厚みを表す領域１２１、１２２の幅１２１１、１２２１は可変であり、それぞれ先頭ページまたは最終ページからのページ数を表した幅で表示される。また、幅１２１１、１２２１の幅の合計は、電子文書の全ページ数に対応した値となる。
【００２６】
例えば、図３に示す左綴じ、左開きの電子文書の場合、領域１２３に最初のページが表示されている状態では、ページの厚みを表す左側の領域１２１の幅１２１１の幅長はゼロであり、領域１２３に最後のページを表示している状態では、ページの厚みを表す右側の領域１２２の幅１２２１の幅長はゼロである。同様に、右綴じ、右開きの電子文書の場合、領域１２３に最初のページが表示されている状態では、ページの厚みを表す右側の領域１２２の幅１２２１の幅長はゼロであり、領域１２３に最後のページを表示している状態では、ページの厚みを表す左側の領域１２１の幅１２１１の幅長はゼロである。また例えば、図３の状態において、ユーザがページの内容を表示する領域１２３の部分を右ページから左ページに向かってスライド操作を行うと、５０、５１ページを見開いた状態から、５２、５３ページを見開いた状態に切り替わることになる。また、この操作に応じて、右側のページの厚みを表す領域１２２の幅１２２１は１ページ分だけ狭くなり、左側のページの厚みを表す領域１２１の幅１２１１は、１ページ分だけ広くなる。また、ページの内容を表示する領域１２３の幅は変わらず、領域１２３自体が１ページ分だけ右に移動することになる。従って、領域１２１、１２２、１２３の合計幅は常に一定となる。
【００２７】
続いて、本実施形態の文書閲覧装置が受け付けるページめくり操作について図面を参照して詳細に説明する。本発明の第１の実施形態の文書閲覧装置１は、上記した１ページずつめくる操作のほかに、複数のページを連続または一括してめくる操作を可能としている。以下、第１のページめくり動作として、複数のページを連続してめくる操作の流れを説明し、続いて、第２のページめくり動作として、複数のページを一遍にめくる操作の流れを説明する。
【００２８】
図４は、本発明の第１の実施形態の文書閲覧装置１の第１のページめくり動作の流れを表したフローチャートである。図４を参照すると、まず、ユーザ指定のページを開いた状態において（ステップＳ００１）、画面へのユーザの指やタッチペン等の物体の接触が検知されると（ステップＳ００２）、操作検出手段１３にて、接触位置の取得が行われる（ステップＳ００３）。
【００２９】
前記取得した接触位置が、ユーザによって選択されたページの内容を表示する領域１２３である場合（ステップＳ００４のＹｅｓ）、以降の処理が行われる。なお、前記取得した接点位置が、ユーザによって選択されたページの内容を表示する領域１２３外である場合（ステップＳ００４のＮｏ）、図６のフローチャートのステップＳ１０４以降に従って処理が行われる。
【００３０】
ここでは、図５の（ａ）の符号２１に示すように、領域１２３の任意の位置を指示する操作が行われたものとして説明する。次に、文書閲覧装置１は、前記接触位置から、ユーザの指やタッチペン等の物体が離れたか否かを確認する（ステップＳ００５「リリース？」）。ここで、画面からユーザの指やタッチペン等の物体が離れたことを検出した場合（ステップＳ００５のＹｅｓ）、以降の第１のページめくり動作は行われず、前記領域１２３の指示位置のタップ操作等としての処理が行われる。
【００３１】
一方、画面からユーザの指やタッチペン等の物体が離れていない場合（ステップＳ００５のＮｏ）、操作検出手段１３による接触位置の取得が継続される（ステップＳ００６）。
【００３２】
前記取得した接触位置が、ページの厚みを表す領域１２１、１２２に到っていない場合（ステップＳ００７のＮｏ）、文書閲覧装置１は、ユーザによるスライド操作が継続されているものとして、ステップＳ００５に戻る。
【００３３】
前記取得した接触位置が、ページの厚みを表す領域１２１、１２２に入った場合（ステップＳ００７のＹｅｓ）、文書閲覧装置１は、ページの厚みを表す領域１２１、１２２のうち、ユーザのスライド操作が行われた側のページを１枚めくる処理を行う（ステップＳ００８）。また、文書閲覧装置１は、ユーザによって選択されたページの内容を表示する領域１２３を１ページ分だけ、ユーザのスライド操作が行われた側に平行移動させる処理を行う（ステップＳ００９）。
【００３４】
例えば、図５の（ａ）に示すように、ユーザによって選択されたページの内容を表示する領域１２３を指示した後、ページの厚みを表す領域１２１へとスライドする操作が行われた場合、文書閲覧装置１は、図５の（ｂ）に示すように、左側のページを一枚ずつめくる処理と、領域１２３を左に移動させる処理を継続する。
【００３５】
その後、文書閲覧装置１は、接触位置が平行移動後の領域１２３の端部と一致したか否かを判定する（ステップＳ０１０）。ここで、接触位置が平行移動後の領域１２３の端部と一致していない場合（ステップＳ０１０のＮｏ）、文書閲覧装置１は、ステップＳ００５に戻る。
【００３６】
一方、接触位置が平行移動後の領域１２３の端部と一致している場合（ステップＳ０１０のＹｅｓ）、図５の（ｃ）に示すように、ユーザが指示したページまでページめくりが完了したものとして処理を終了する。最終的には、めくったページ数だけ、領域１２２の幅１２２１が広くなり、領域１２１の幅１２１１が狭くなり、領域１２３が左に移動することになる。
【００３７】
以上のように、ページの厚みを表す領域１２１のユーザの接触位置に対応するページに至るまで、所定のスピードで、１枚ずるページをめくる第１のページめくり動作が行われる。この第１のページめくり動作によれば、開いた本のページの端部を指で押さえながら指を外側に少しずつずらして、パラパラと繰っていくのと同様の操作にてページをめくることが可能となる。
【００３８】
図６は、本発明の第１の実施形態の文書閲覧装置１の第２のページめくり動作の流れを表したフローチャートである。図６を参照すると、まず、ユーザ指定のページを開いた状態において（ステップＳ１０１）、画面へのユーザの指やタッチペン等の物体の接触が検知されると（ステップＳ１０２）、操作検出手段１３にて、接触位置の取得が行われる（ステップＳ１０３）。
【００３９】
前記取得した接触位置が、ページの厚みを表す領域１２１、１２２のいずれかである場合（ステップＳ１０４のＹｅｓ）、以降の処理が行われる。なお、前記取得した接点位置が、ページの厚みを表す領域１２１、１２２外である場合（ステップＳ１０４のＮｏ）、図４のフローチャートのステップＳ００４以降に従って処理が行われる。
【００４０】
ここでは、図７の（ａ）の符号２１に示すように、ページの厚みを表す領域１２１の任意の位置を指示する操作が行われたものとして説明する。次に、文書閲覧装置１は、前記接触位置から、ユーザの指やタッチペン等の物体が離れたか否かを確認する（ステップＳ１０５「リリース？」）。ここで、画面からユーザの指やタッチペン等の物体が離れたことを検出した場合（ステップＳ１０５のＹｅｓ）、以降の第２のページめくり動作は行われず、前記領域１２１、１２２の指示位置のタップ操作等としての処理が行われる。
【００４１】
一方、画面からユーザの指やタッチペン等の物体が離れていない場合（ステップＳ１０５のＮｏ）、操作検出手段１３による接触位置の取得が継続される（ステップＳ１０６）。
【００４２】
前記取得した接触位置が、ユーザによって選択されたページの内容を表示する領域１２３に到っていない場合（ステップＳ１０７のＮｏ）、文書閲覧装置１は、ユーザによるスライド操作が継続されているものとして、ステップＳ１０５に戻る。
【００４３】
一方、前記取得した接触位置が、ユーザによって選択されたページの内容を表示する領域１２３に入った場合（ステップＳ１０７のＹｅｓ）、文書閲覧装置１は、ユーザの指やタッチペン等の物体が離れたか否かを確認する（ステップＳ１０８「リリース？」）。ここで、画面からユーザの指やタッチペン等の物体が離れていない場合（ステップＳ１０８のＮｏ）、操作検出手段１３による接触位置の取得が継続される（ステップＳ１０６）。
【００４４】
一方、ステップＳ１０８で画面からユーザの指やタッチペン等の物体が離れたことを検出した場合（ステップＳ１０８のＹｅｓ）、文書閲覧装置１は、図７（ａ）、（ｂ）に示すように、ステップＳ１０３で検出したページの厚みを表す領域１２１、１２２の接触位置（スライド操作の始点）に対応するページまでまとめてめくる処理を行う（ステップＳ１０９）。また、文書閲覧装置１は、ユーザによって選択されたページの内容を表示する領域１２３を前記めくったページ分だけ、スライド操作の始点となった領域１２１又は領域１２２側に平行移動させる処理を行う（ステップＳ１１０）。
【００４５】
例えば、図７の（ａ）に示すように、ページの厚みを表す領域１２１を指示した後、ユーザによって選択されたページの内容を表示する領域１２３へとスライドする操作が行われた場合、文書閲覧装置１は、図７の（ｂ）、（ｃ）に示すように、ページの厚みを表す領域１２１のユーザ指示の位置のページまでまとめてめくる処理と、領域１２３を左に移動させる処理を実行する。この結果、めくったページ数だけ、領域１２２の幅１２２１が広くなり、領域１２１の幅１２２１が狭くなり、領域１２３が左に移動することになる。
【００４６】
以上のように、第２のページめくり動作によれば、開いた本のページの端に指を入れて一気にページをめくるのと同様の操作にてページをめくることが可能となる。
【００４７】
［第２の実施形態］
続いて、上記した第１の実施形態のスライド操作に代えて、筺体の傾き操作を用いるようにした第２の実施形態について説明する。図８は、本発明の第２の実施形態の文書閲覧装置の機能ブロックを表した図である。図２に示した第１の実施形態の構成と相違するのは、傾きセンサ１５が追加されている点である。その他構成は第１の実施形態と同様であるので、以下、相違点を中心に説明する。
【００４８】
傾きセンサ１５は、文書閲覧装置１Ａの筺体１１の傾きを検出するセンサである。
【００４９】
表示制御手段１４は、操作検出手段１３からの出力のみならず、傾きセンサ１５から取得される筺体１１の傾きも用いてページめくり動作を行う。
【００５０】
続いて、本実施形態の文書閲覧装置が受け付けるページめくり操作について図面を参照して詳細に説明する。図９は、本発明の第２の実施形態の文書閲覧装置１Ａの筺体の傾きをユーザ指示として用いるページめくり動作の流れを表したフローチャートである。図９を参照すると、まず、ユーザ指定のページを開いた状態において（ステップＳ１０１）、画面へのユーザの指やタッチペン等の物体の接触が検知されると（ステップＳ１０２）、操作検出手段１３にて、接触位置の取得が行われる（ステップＳ１０３）。
【００５１】
前記取得した接触位置が、ページの厚みを表す領域１２１、１２２のいずれかである場合（ステップＳ１０４のＹｅｓ）、以降の処理が行われる。なお、前記取得した接点位置が、ページの厚みを表す領域１２１、１２２外である場合（ステップＳ１０４のＮｏ）、第１の実施形態で説明した図４のフローチャートのステップＳ００４以降に従って処理が行われる。
【００５２】
ここでは、図７の（ａ）の符号２１に示すように、ページの厚みを表す領域１２１の任意の位置を指示する操作が行われたものとして説明する。次に、文書閲覧装置１Ａは、前記接触位置から、ユーザの指やタッチペン等の物体が離れたか否かを確認する（ステップＳ１０５「リリース？」）。ここで、画面からユーザの指やタッチペン等の物体が離れたことを検出した場合（ステップＳ１０５のＹｅｓ）、以降のページめくり動作は行われず、前記領域１２１、１２２の指示位置のタップ操作等としての処理が行われる。
【００５３】
一方、画面からユーザの指やタッチペン等の物体が離れていない場合（ステップＳ１０５のＮｏ）、傾きセンサ１５による筺体１１の傾き情報の取得が行われる（ステップＳ１０６Ａ）。
【００５４】
傾きセンサ１５により、ユーザの指やタッチペン等の物体が接触している方の反対側の端部が下方となる向きの傾きが検出されていない場合（ステップＳ１０７ＡのＮｏ）、文書閲覧装置１Ａは、ユーザによる明示のページめくり操作がなされていないものとして、ステップＳ１０５に戻る。
【００５５】
一方、ユーザの指やタッチペン等の物体が接触している方の筺体端部に対向する反対側の端部が下方となる向きの傾きが検出されている場合（ステップＳ１０７ＡのＹｅｓ）、文書閲覧装置１Ａは、図１０（ｂ）、（ｃ）に示すように、ステップＳ１０３で検出したページの厚みを表す領域１２１、１２２の位置（スライド操作の始点）に対応するページまでまとめてめくる処理を行う（ステップＳ１０９）。また、文書閲覧装置１Ａは、ユーザによって選択されたページの内容を表示する領域１２３を前記めくったページ分だけ、スライド操作の始点となった領域１２１又は領域１２２側に平行移動させる処理を行う（ステップＳ１１０）。
【００５６】
例えば、図１０の（ａ）に示すように、ページの厚みを表す領域１２１の指示と、領域１２１側の端部を上に上げ、反対側の領域１２２側の端部を下げる操作が行われた場合、文書閲覧装置１Ａは、図１０の（ｂ）、（ｃ）に示すように、ページの厚みを表す領域１２１のユーザの指示したページをまでまとめてめくる処理と、領域１２３を左に移動させる処理を実行する。この結果、めくったページ数だけ、領域１２２の幅１２２１が広くなり、領域１２１の幅１２１１が狭くなり、領域１２３が左に移動することになる。
【００５７】
以上のように、本実施形態によれば、ページの厚みを表す領域１２１の所望のページの指示と、筺体１１を傾ける操作により、ページをめくることが可能となる。また、この操作は、開いた本のページの端に指を入れて本を傾けて一気にページをめくるのと同様の操作となる。
【００５８】
以上の本発明の第１、第２の実施形態からも明らかなとおり、本発明によれば、電子文書を閲覧する際の操作、特に、大量のページを繰る際の操作が簡略化される。また、本発明によれば、現在表示中のページが電子文書全体からみてどの位置にあるのかを、ページの厚みを表す領域１２１、１２２の幅により、一見して理解することが可能となる。
【００５９】
以上、本発明の実施形態を説明したが、本発明は、上記した実施形態に限定されるものではなく、本発明の基本的技術的思想を逸脱しない範囲で、更なる変形・置換・調整を加えることができる。例えば、上記した実施形態では、ページを見開いた形態で電子文書を表示するものとして説明したが、図１１に示すように、片側にのみ、ページの厚みを表す領域１２１を配置したページ表示形態でも同様の操作を実現できる（但し、この場合、第１、第２のページめくり動作によるページの戻し操作ができない。ページ戻し操作を別途規定するか、最後のページをめくると先頭ページに戻るようなページ巡回式の電子文書の構成とすればよい。）。
【００６０】
また、上記した実施形態では、省略したが、文書閲覧装置にバイブレーター等の振動発生装置を追加した構成も採用可能である。ページめくりの際に、これらの振動発生装置を連動して振動させることで、触覚を通じてページがめくられたことを知覚させることも可能である。
【００６１】
また、上記した第１の実施形態では、スライド操作の速度については特に言及しなかったが、スライド操作の速度に応じて、ページめくりの速度を変化させることも可能である。
【００６２】
また、図１２に示すように、ページの厚みを表す領域１２１、１２２に、所定ページ数毎に、色付け等によるマーキングを施したり、見出し等を設けるなどして、複数枚のページの選択を容易化し、閲覧利便性を向上させることも可能である。
【００６３】
また、上記した各実施形態では、本発明をタッチパネルを備えたタブレット型の端末に適用した例を挙げて説明したが、例えば、本発明は、据え置き型のパーソナルコンピュータ、書籍閲覧端末、ゲーム機等にも適用することが可能である。この場合、上記した実施形態と同様にタッチセンサを用いてもよいが、タブレット装置、マウス、十字キー等のポインティングデバイスとボタンを用い、上記したスライド操作に相当するドラッグ操作により、ページの厚みを表す領域１２１／１２２と、ページの内容を表示する領域１２３との選択を受け付けることもできる。また、傾きセンサについても、タブレット装置、マウス、ゲーム機のコントローラに内蔵された傾きセンサや加速度センサを用いることができる。
【００６４】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６５】
１、１Ａ  文書閲覧装置
１１  筺体
１２  表示手段
１３  操作検出手段
１４  表示制御手段
１５  傾きセンサ
２１  ユーザ指示位置
１２１、１２２  ページの厚みを表す領域
１２３  ページの内容を表示する領域
１２１１、１２２１、１２３１  幅
【図１】
2014119716.tif 000003
【図２】
2014119716.tif 000004
【図３】
2014119716.tif 000005
【図４】
2014119716.tif 000006
【図５】
2014119716.tif 000007
【図６】
2014119716.tif 000008
【図７】
2014119716.tif 000009
【図８】
2014119716.tif 000010
【図９】
2014119716.tif 000011
【図１０】
2014119716.tif 000012
【図１１】
2014119716.tif 000013
【図１２】
2014119716.tif 000014
【国際調査報告】
2014119716.tif 000015
2014119716.tif 000016
2014119716.tif 000017
2014119716.tif 000018